(57)【要約】【課題】縦張り型式のサイディングでも通気空間を確保できる外張断熱建築物用ブラケットを提供することである。【解決手段】矩形の第１プレート（１２）と、第１プレートの一端に第１プレートに対して直交するように連結された第２プレート（１４）と、第１プレートの他端に第１プレートに対して直交するように連結された第３プレート（１６）と、各プレートによって構成される空間において、これらのプレートの中央軸線に沿って配置されたリブプレート（１８）と、第２プレートと第３プレートとの間に、第２プレート及び第３プレートに対して平行になるように配置され、断熱材配置個所と通気空間とを区分けするための第４プレート（２０）とを備えていることを特徴とする。【選択図】　図１
2004107927.tif 000002
【特許請求の範囲】
【請求項１】
矩形の第１プレートと、
前記第１プレートの一端に前記第１プレートに対して直交するように連結された第２プレートと、
前記第１プレートの他端に前記第１プレートに対して直交するように連結された第３プレートと、
前記各プレートによって構成される空間において、これらのプレートの中央軸線に沿って配置されたリブプレートと、
前記第２プレートと前記第３プレートとの間に、前記第２プレート及び前記第３プレートに対して平行になるように配置され、断熱材配置個所と通気空間とを区分けするための第４プレートと、
を備えていることを特徴とする外張断熱建築物用ブラケット。
【請求項２】
前記第３プレートの長さが前記第２プレートの長さよりもかなり短く、前記第４プレートが、前記第２プレートの長さと前記第３プレートの長さの中間の長さを有することを特徴とする請求項１に記載の外張断熱建築物用ブラケット。
【請求項３】
前記第２プレートに複数のビス用孔が設けられていることを特徴とする請求項１又は２に記載の外張断熱建築物用ブラケット。
【請求項４】
合成樹脂材料で一体成形されていることを特徴とする請求項１から請求項３までのいずれか１項に記載の外張断熱建築物用ブラケット。
【請求項５】
第１ブラケットと第２ブラケットとを有する屋根断熱建築物用ブラケットであって、
前記第１ブラケットが、矩形の第１プレートと、前記第１プレートの一端に前記第１プレートに対して直交するように連結された第２プレートと、前記第１プレートの他端に前記第１プレートに対して直交するように連結された第３プレートと、前記各プレートによって構成される空間において、これらのプレートの中央軸線に沿って配置されたリブプレートとを備え、
前記第２ブラケットが、矩形の第１プレートと、前記第１プレートの一端に前記第１プレートに対して直交するように連結された第２プレートと、前記第１プレートの他端に前記第１プレートに対して直交するように連結された第３プレートと、前記各プレートによって構成される空間において、これらのプレートの中央軸線に沿って配置されたリブプレートとを備え、
前記第１ブラケット及び前記第２ブラケットの前記第３プレートの長さが、前記第１ブラケット及び前記第２ブラケットの前記第２プレートの長さよりもかなり短く、
前記第１ブラケットの前記第１プレートの長さは、前記第２ブラケットの前記第１プレートの長さよりも所定長さだけ長く、
前記第１ブラケットの前記第１プレートの外面に、長さ方向に延びた１又は複数の凹部又は凸部が設けられ、前記第２ブラケットの前記第１プレートの外面に、前記第１ブラケットの前記凹部又は凸部に嵌合する形状を有する、長さ方向に延びた１又は複数の凸部又は凹部が設けられている、
ことを特徴とする屋根断熱建築物用ブラケット。
【請求項６】
前記第１ブラケット及び前記第２ブラケットの前記第２プレートの各々に複数のビス用孔が設けられていることを特徴とする請求項５に記載の屋根断熱建築物用ブラケット。
【請求項７】
前記所定長さが４０ｍｍ〜７０ｍｍであることを特徴とする請求項５又は６に記載の屋根断熱建築物用ブラケット。
【請求項８】
前記第１ブラケットと前記第２ブラケットが、合成樹脂材料で一体成形されていることを特徴とする請求項５から請求項７のいずれか１項に記載の屋根断熱建築物用ブラケット。
【発明の詳細な説明】
【０００１】
【発明の属する技術分野】
本発明は一般に、外張断熱建築物用ブラケット及び屋根断熱建築物用ブラケットに関する。より詳細には、本発明は、縦張り型式のサイディングでも通気空間を確保できる外張断熱建築物用ブラケット、及び、屋根材を強固に支持し且つ通気空間を確保できる屋根断熱建築物用ブラケットに関する。本発明における建築物には、木造、軽量鉄骨造、スチールハウス等の戸建住宅や共同住宅が含まれる。
【０００２】
【発明が解決しようとする課題】
近年、結露が発生しにくい等の利点を有する外張断熱工法が注目されており、外張断熱工法に用いられる種々の取付具が提案されている（例えば、特許文献１参照）。一方、建築物の外壁として用いられるサイディングは通常、縦胴縁に横張り形式のものが大部分であるが、風雨の強い地域では、サイディングを縦張りにして雨水を流下させるようにした方が好都合である。また、横胴縁にサイディングを縦張りにした方が構造的に強固になるという利点もある。しかしながら、現在提案されている取付具では、サイディングを縦張りにした場合に通気空間を確保するのが容易ではないという課題がある。
【０００３】
【特許文献１】
特開２００２−１２１８３８号公報
【０００４】
また、屋根においても構造用面材の外側に断熱材を配置する屋根断熱工法が知られているが、屋根材を強固に支持しつつ通気空間を確保することができる取付具が見当たらないのが現状である。
【０００５】
したがって、本発明は、縦張り型式のサイディングでも通気空間を確保できる外張断熱建築物用ブラケット、及び、屋根材を強固に支持し且つ通気空間を確保できる屋根断熱建築物用ブラケットを提供することを目的としている。
【０００６】
【課題を解決するための手段】
本願請求項１に記載の外張断熱建築物用ブラケットは、矩形の第１プレートと、第１プレートの一端に第１プレートに対して直交するように連結された第２プレートと、第１プレートの他端に第１プレートに対して直交するように連結された第３プレートと、各プレートによって構成される空間において、これらのプレートの中央軸線に沿って配置されたリブプレートと、第２プレートと第３プレートとの間に、第２プレート及び第３プレートに対して平行になるように配置され、断熱材配置個所と通気空間とを区分けするための第４プレートとを備えていることを特徴とするものである。
【０００７】
本願請求項２に記載の外張断熱建築物用ブラケットは、前記請求項１のブラケットにおいて、第３プレートの長さが第２プレートの長さよりもかなり短く、第４プレートが、第２プレートの長さと第３プレートの長さの中間の長さを有することを特徴とするものである。
【０００８】
本願請求項３に記載の外張断熱建築物用ブラケットは、前記請求項１又は２のブラケットにおいて、第２プレートに複数のビス用孔が設けられていることを特徴とするものである。
【０００９】
本願請求項４に記載の外張断熱建築物用ブラケットは、前記請求項１から請求項３までのいずれか１項のブラケットにおいて、合成樹脂材料で一体成形されていることを特徴とするものである。
【００１０】
本願請求項５に記載の屋根断熱建築物用ブラケットは、第１ブラケットと第２ブラケットとを有し、第１ブラケットが、矩形の第１プレートと、第１プレートの一端に第１プレートに対して直交するように連結された第２プレートと、第１プレートの他端に第１プレートに対して直交するように連結された第３プレートと、各プレートによって構成される空間において、これらのプレートの中央軸線に沿って配置されたリブプレートとを備え、第２ブラケットが、矩形の第１プレートと、第１プレートの一端に第１プレートに対して直交するように連結された第２プレートと、第１プレートの他端に第１プレートに対して直交するように連結された第３プレートと、各プレートによって構成される空間において、これらのプレートの中央軸線に沿って配置されたリブプレートとを備え、第１ブラケット及び第２ブラケットの第３プレートの長さが、第１ブラケット及び第２ブラケットの前記第２プレートの長さよりもかなり短く、第１ブラケットの第１プレートの長さは、第２ブラケットの第１プレートの長さよりも所定長さだけ長く、第１ブラケットの第１プレートの外面に、長さ方向に延びた１又は複数の凹部又は凸部が設けられ、第２ブラケットの第１プレートの外面に、第１ブラケットの凹部又は凸部に嵌合する形状を有する、長さ方向に延びた１又は複数の凸部又は凹部が設けられていることを特徴とするものである。
【００１１】
本願請求項６に記載の屋根断熱建築物用ブラケットは、前記請求項５のブラケットにおいて、第１ブラケット及び第２ブラケットの第２プレートの各々に複数のビス用孔が設けられていることを特徴とするものである。
【００１２】
本願請求項７に記載の屋根断熱建築物用ブラケットは、前記請求項５又は６のブラケットにおいて、前記所定長さが４０ｍｍ〜７０ｍｍであることを特徴とするものである。
【００１３】
本願請求項８に記載の屋根断熱建築物用ブラケットは、前記請求項５から請求項７までのいずれか１項のブラケットにおいて、第１ブラケットと第２ブラケットが、合成樹脂材料で一体成形されていることを特徴とするものである。
【００１４】
【発明の実施の形態】
次に図面を参照して、本発明の好ましい実施の形態について詳細に説明する。まず、本発明の好ましい実施の形態に係る外張断熱建築物用ブラケットについて説明する。図１及び図２において全体として参照符号１０で示される本発明の好ましい実施の形態に係る外張断熱建築物用ブラケットは、矩形の第１プレート１２と、第１プレート１２の一端に第１プレート１２に対して直交するように連結された第２プレート１４と、第１プレート１２の他端に第１プレート１２に対して直交するように（換言すると、第２プレート１４に対して平行になるように）連結された第３プレート１６とを備えている。
【００１５】
外張断熱建築物用ブラケット１０は又、第１プレート１２と第２プレート１４と第３プレート１６とによって構成される空間において、これらのプレート１２、１４、１６の中央軸線（即ち、各プレートの幅の中央）に沿って配置されたリブプレート１８を備えている。リブプレート１８は、外張断熱建築物用ブラケット１０全体を補強する役目を果たす。なお、図示されているリブプレート１８は台形状であるが、リブプレート１８を他の形状に形成してもよい。
【００１６】
外張断熱建築物用ブラケット１０は更に、第２プレート１４と第３プレート１６との間に、第２プレート１４及び第３プレート１６に対して平行になるように（換言すると、第１プレート１２に対して直交するように）配置された第４プレート２０を備えている。第４プレート２０は、詳細には後述するように、断熱材配置個所と通気空間とを区分けする役目を果たす。
【００１７】
第３プレート１６の長さは、第２プレート１４の長さよりもかなり短く、通常は、１／３〜１／４程度である。また、第４プレート１８は、第２プレート１４の長さと第３プレート１６の長さの中間の長さを有する。好ましくは、第１プレート１２、第２プレート１４、及び第３プレート１６の幅は、実質的に同一である。
【００１８】
第２プレート１４には、外張断熱建築物用ブラケット１０を支持部材に固定するための複数のビス用孔１４ａが設けられている。
【００１９】
外張断熱建築物用ブラケット１０は好ましくは、プラスチック等の合成樹脂材料で一体成形されている。
【００２０】
図３及び図４を参照して、以上のように構成された外張断熱建築物用ブラケット１０の使用について説明する。まず、構造用面材の柱又は間柱が位置する個所に外張断熱建築物用ブラケット１０をビスで固定する。次いで、外張断熱建築物用ブラケット１０の第２プレート１４と第４プレート２０との間の空間に断熱材を配置する（図３では、図面の簡単化のため、断熱材は図示されていない）。次いで、外張断熱建築物用ブラケット１０の第３プレート１６に横胴縁をビスで固定する。このようにして取り付けられた横胴縁にサイディングを固定する。以上のように施工することにより、断熱材とサイディングとの間に通気空間が確保される。
【００２１】
次に、本発明の好ましい実施の形態に係る屋根断熱建築物用ブラケットについて説明する。図５において全体として参照符号３０で示される本発明の好ましい実施の形態に係る屋根断熱建築物用ブラケットは、第１ブラケット４０と、第２ブラケット５０とを備えている。
【００２２】
第１ブラケット４０は、矩形の第１プレート４２と、第１プレート４２の一端に第１プレート４２に対して直交するように連結された第２プレート４４と、第１プレート４２の他端に第１プレート４２に対して直交するように（換言すると、第２プレート４４に対して平行になるように）連結された第３プレート４６とを備えている。第１ブラケット４０は又、第１プレート４２と第２プレート４４と第３プレート４６とによって構成される空間において、これらのプレート４２、４４、４６の中央軸線（即ち、各プレートの幅の中央）に沿って配置されたリブプレート４８を備えている。リブプレート４８は、第１ブラケット４０全体を補強する役目を果たす。
【００２３】
第３プレート４６の長さは、第２プレート４４の長さよりもかなり短く、通常は、１／３〜１／４程度である。好ましくは、第１プレート４２、第２プレート４４、及び第３プレート４６の幅は、実質的に同一である。
【００２４】
第２プレート４４には、第１ブラケット４０を支持部材に固定するための複数のビス用孔４４ａが設けられている。また、第１プレート４２の外面には、長さ方向に延びた２つの凹部４２ａが設けられている。
【００２５】
第２ブラケット５０は、矩形の第１プレート５２と、第１プレート５２の一端に第１プレート５２に対して直交するように連結された第２プレート５４と、第１プレート５２の他端に第１プレート５２に対して直交するように（換言すると、第２プレート５４に対して平行になるように）連結された第３プレート５６とを備えている。第２ブラケット５０は又、第１プレート５２と第２プレート５４と第３プレート５６とによって構成される空間において、これらのプレート５２、５４、５６の中央軸線（即ち、各プレートの幅の中央）に沿って配置されたリブプレート５８を備えている。リブプレート５８は、第２ブラケット５０全体を補強する役目を果たす。なお、図示されているリブプレート４８、５８は台形状であるが、リブプレート４８、５８を他の形状に形成してもよい。
【００２６】
第３プレート５６の長さは、第２プレート５４の長さよりもかなり短く、通常は、１／３〜１／４程度である。好ましくは、第１プレート５２、第２プレート５４、及び第３プレート５６の幅は、実質的に同一である。
【００２７】
また、第１ブラケット４０の第１プレート４２の長さは、第２ブラケット５０の第１プレート５２の長さよりもＨだけ長い（図６（ａ）参照）。好ましくは、Ｈは、４０ｍｍ〜７０ｍｍである。
【００２８】
第２プレート５４には、第２ブラケット５０を支持部材に固定するための複数のビス用孔５４ａが設けられている。また、第１プレート５２の外面には、第１ブラケット４０の凹部４２ａに嵌合する形状を有する、長さ方向に延びた２つの凸部５２ａが設けられている。
【００２９】
第１ブラケット４０及び第２ブラケット５０は、第４プレート２０を有しておらず且つ凹部４２ａ、凸部５２ａを有している点を除いて、外張断熱建築物用ブラケット１０と実質的に同一である。
【００３０】
第１ブラケット４０及び第２ブラケット５０は好ましくは、プラスチック等の合成樹脂材料で一体成形されている。
【００３１】
図７及び図８を参照して、以上のように構成された屋根断熱建築物用ブラケット３０の使用について説明する。まず、凹部４２ａに凸部５２ａを嵌合させて第１ブラケット４０と第２ブラケット５０を合体させる。次いで、屋根の構造用面材の野地垂木が位置する個所に、合体させた屋根断熱建築物用ブラケット３０をビスで固定する。その際、傾斜屋根の場合には、構造的強度を高めるため、傾斜面の下側に第１ブラケット４０を配置し、傾斜面の上側に第２ブラケット５０を配置するのが好ましい。次いで、第２ブラケット５０の第３プレート５６の上に下地垂木を配置して固定する。次いで、図８に示されるように、断熱材を配置する（図７では、図面の簡単化のため、断熱材は図示されていない）。次いで、下地垂木の上に所定間隔に通気垂木を配置して固定する。そして、このようにして取り付けられた通気垂木に屋根材を固定する。
【００３２】
本発明は、以上の発明の実施の形態に限定されることなく、特許請求の範囲に記載された発明の範囲内で、種々の変更が可能であり、それらも本発明の範囲内に包含されるものであることはいうまでもない。
【００３３】
たとえば、前記実施の形態では、第１ブラケット４０に凹部４２ａが設けられ、第２ブラケット５０に凸部５２ａが設けられているが、第１ブラケット４０に凸部を設け、第２ブラケット５０に凹部を設けてもよい。また、前記実施の形態では、凹部４２ａと凸部５２ａが楔形の形状を有しているが、凹部と凸部を単なる矩形の形状にしてもよい。また、前記実施の形態では、第１ブラケット４０と第２ブラケット５０が別体のものとして示されているが、第１ブラケット４０と第２ブラケット５０を一体成形してもよい。さらに、前記実施の形態では、凹部４２ａ及び凸部５２ａの数は各々２つであるが、凹部４２ａ及び凸部５２ａの数を各々１つにしてもよく、或いは各々３つ以上にしてもよい。
【００３４】
【発明の効果】
本発明の外張断熱建築物用ブラケットによれば、サイディングを縦張りにした場合であっても、通気空間を容易に確保することが可能である。また、本発明の屋根断熱建築物用ブラケットによれば、屋根材を強固に支持しつつ通気空間を確保することが可能である。また、本発明の外張断熱建築物用ブラケット及び屋根断熱建築物用ブラケットは、ビス等のみを使用した場合と比較して強固な構造体を提供することができる。また、本発明の外張断熱建築物用ブラケット及び屋根断熱建築物用ブラケットは、合成樹脂材料で形成されているので、熱橋（ヒートブリッジ）を回避することができる。さらに、本発明の屋根断熱建築物用ブラケットの第１ブラケットと第２ブラケットは各々、壁に対して使用する外張断熱建築物用ブラケットとして使用することもでき、このような場合には工事用の部品数を減少させることができる。
【図面の簡単な説明】
【図１】本発明の好ましい実施の形態に係る外張断熱建築物用ブラケットの斜視図である。
【図２】（ａ）は図１の外張断熱建築物用ブラケットの正面図、（ｂ）は（ａ）の線２ｂ−２ｂに沿った図、（ｃ）は（ａ）の線２ｃ−２ｃに沿った図である。
【図３】図１の外張断熱建築物用ブラケットの使用状態を示した斜視図である。
【図４】図１の外張断熱建築物用ブラケットの使用状態を示した側断面図である。
【図５】本発明の好ましい実施の形態に係る屋根断熱建築物用ブラケットの斜視図であって、（ａ）は第１ブラケットと第２ブラケットが分離した状態を示した図、（ｂ）は第１ブラケットと第２ブラケットが一体になった状態を示した図である。
【図６】（ａ）は図５の屋根断熱建築物用ブラケットの正面図、（ｂ）は（ａ）の線６ｂ−６ｂに沿った図、（ｃ）は（ａ）の線６ｃ−６ｃに沿った図である。
【図７】図５の屋根断熱建築物用ブラケットの使用状態を示した斜視図である。
【図８】図５の屋根断熱建築物用ブラケットの使用状態を示した側断面図である。
【符号の説明】
１０　外張断熱建築物用ブラケット
１２　第１プレート
１４　第２プレート
１６　第３プレート
１８　リブプレート
２９　第４プレート
３０　屋根断熱建築物用ブラケット
４０　第１ブラケット
４２　第１プレート
４２ａ　凹部
４４　第２プレート
４６　第３プレート
４８　リブプレート
５０　第２ブラケット
５２　第１プレート
５２ａ　凸部
５４　第２プレート
５６　第３プレート
５８　リブプレート
【図１】
2004107927.tif 000003
【図２】
2004107927.tif 000004
【図３】
2004107927.tif 000005
【図４】
2004107927.tif 000006
【図５】
2004107927.tif 000007
【図６】
2004107927.tif 000008
【図７】
2004107927.tif 000009
【図８】
2004107927.tif 000010